(57)【要約】【課題】高速且つ高画質な画像読取が可能な画像読取装置を提供すること。【解決手段】この発明の画像読取装置は、光を透過可能で、読取対象物を保持する板状の保持体上の前記読取対象からの画像光を受光して、前記画像光のうちの有彩色成分に対応する信号、及び前記画像光のうちの無彩色成分に対応する信号を出力するＣＣＤセンサ（１２Ｒ、１２Ｇ、１２Ｂ、１２Ｍ）と、前記ＣＣＤセンサ（１２Ｒ、１２Ｇ、１２Ｂ）から出力される有彩色成分に対応する信号に基づく有彩色画像データを記憶する第１記憶領域（２３８ａ）、及び前記ＣＣＤセンサ（１２Ｍ）から出力される無彩色成分に対応する信号に基づく無彩色画像データを記憶する第２記憶領域（２３８ｂ）を含む記憶部（２３８）とを備えている。【選択図】          図４
2005051304.tif 000002
【特許請求の範囲】
【請求項１】
光を透過可能で、読取対象物を保持する板状の読取対象物保持体と、
前記読取対象物保持体上の前記読取対象物に対して光を照射する照射部と、
前記読取対象物からの画像光を受光して、前記画像光のうちの有彩色成分に対応する信号、及び前記画像光のうちの無彩色成分に対応する信号を出力するＣＣＤセンサと、
前記ＣＣＤセンサを前記読取対象物保持対の一端から他端に向けて、前記読取対象物保持体に対して平行に移動させる駆動部と、
前記駆動部による前記ＣＣＤセンサの移動に対応して、前記ＣＣＤセンサから出力される有彩色成分に対応する信号に基づく有彩色画像データを記憶する第１記憶領域、及び前記ＣＣＤセンサから出力される無彩色成分に対応する信号に基づく無彩色画像データを記憶する第２記憶領域を含む記憶部と、
を備えたことを特徴とする画像読取装置。
【請求項２】
光を透過可能で、読取対象物を保持する板状の読取対象物保持体上の前記読取対象物に対して光を照射するとともに、前記読取対象物からの画像光を受光して、前記画像光のうちの有彩色成分に対応する信号、及び前記画像光のうちの無彩色成分に対応する信号を出力するＣＣＤセンサを前記読取対象物保持対の一端から他端に向けて、前記読取対象物保持体に対して平行に移動させ、
前記駆動部による前記ＣＣＤセンサの移動に対応して、前記ＣＣＤセンサから出力される有彩色成分に対応する信号に基づく有彩色画像データを第１記憶領域に記憶するとともに、前記ＣＣＤセンサから出力される無彩色成分に対応する信号に基づく無彩色画像データを第２記憶領域に記憶する、
ことを特徴とする画像読取方法。
【請求項３】
光を透過可能で、読取対象物を保持する板状の読取対象物保持体と、
前記読取対象物保持体上の前記読取対象物に対して光を照射する照射部と、
前記読取対象物からの画像光を受光して、前記画像光のうちの有彩色成分に対応する信号、及び前記画像光のうちの無彩色成分に対応する信号を出力するＣＣＤセンサと、
前記ＣＣＤセンサを前記読取対象物保持対の一端から他端に向けて、前記読取対象物保持体に対して平行に移動させる駆動部と、
前記駆動部による前記ＣＣＤセンサの移動に対応して、前記ＣＣＤセンサから出力される有彩色成分に対応する信号に基づく有彩色画像データを記憶する第１記憶領域、及び前記ＣＣＤセンサから出力される無彩色成分に対応する信号に基づく無彩色画像データを記憶する第２記憶領域を含む記憶部と、
前記記憶部に含まれる前記第１及び第２記憶領域に記憶された前記有彩色画像データ及び前記無彩色画像データを合成して出力する合成出力部と、
を備えたことを特徴とする画像読取形成装置。
【発明の詳細な説明】
【０００１】
【発明の属する技術分野】
この発明は、例えば電子写真方式の画像形成装置向けの画像データを得る画像読取装置及び画像読取方法、並びにその画像読取装置を有し読み取られた画像データに基づく画像を形成する画像読取形成装置に関する。
【０００２】
【従来の技術】
画像読取装置、所謂スキャナは、シート状の原稿や、本あるいは立体物等の読取対象物を照明して得られる反射光を、ＣＣＤセンサ等の画像読取センサにより光電変換して、画像データを出力するものである。
【０００３】
デジタル複写機などの画像読取形成装置は、スキャナにより読み取られた複写対象物、即ち原稿の画像情報に基づいて画像を形成し、被転写材、例えば紙等のシート状媒体に画像を出力する（例えば特許文献１参照）。
【０００４】
上記したスキャナの一つとして、３ラインＣＣＤセンサが採用されたスキャナが知られている。
【０００５】
【特許文献１】
特開２００１−１０３２１８号公報
【０００６】
【発明が解決しようとする課題】
３ラインＣＣＤセンサは、モノクロ画像用のセンサは含まず、カラー画像用のセンサである。よって、３ラインＣＣＤセンサが採用されたスキャナは、全ての原稿をカラー画像として読み取る。例えば、カラー画像とモノクロ画像（黒文字など）が混在した原稿であっても、カラー画像として読み取る。よって、モノクロ画像用のセンサでモノクロ画像を読み取った場合に比べて、３ラインＣＣＤセンサが採用されたスキャナでモノクロ画像を読み取った場合は、モノクロ画像が鮮明に再現されないという問題があった。
【０００７】
これに対して、近年、４ラインＣＣＤセンサが採用されたスキャナが登場している。４ラインＣＣＤセンサは、３ラインのカラー用のＣＣＤセンサと、１ラインのモノクロ用のＣＣＤセンサで構成されている。３ラインのカラー用のＣＣＤセンサは、各ライン毎にページメモリにライン接続されている。一方、１ラインのモノクロ用のＣＣＤセンサは、３ラインのカラー用のＣＣＤセンサとページメモリとの接続ラインを利用して、ページメモリにライン接続されている。つまり、３ラインのカラー用のＣＣＤセンサとページメモリとのライン接続、及び１ラインのモノクロ用のＣＣＤセンサとページメモリとのライン接続は、選択的に切り替えられるようになっている。
【０００８】
４ラインＣＣＤセンサが採用されたスキャナにより、カラー画像とモノクロ画像（黒文字など）が混在した原稿を読み取る場合には、まず、３ラインのカラー用のＣＣＤセンサとページメモリとがライン接続され、３ラインのカラー用のＣＣＤセンサを使用して、原稿をカラー画像として読み取り、ページメモリに画像データが保存される。続いて、ライン接続が切り替えられ、即ち、１ラインのモノクロ用のＣＣＤセンサとページメモリとがライン接続され、１ラインのモノクロ用のＣＣＤセンサを使用して、原稿をモノクロ画像として読み取り、ページメモリに画像データが保存される。３ラインのカラー用のＣＣＤセンサにより読み取られた画像データと、１ラインのモノクロ用のＣＣＤセンサにより読み取られた画像データとが合成され画像が生成される。以上のように、１枚の原稿に対してプリスキャンなども含めて複数回のスキャンが必要になるという問題があった。
【０００９】
この発明の目的は、上記問題を解決するために成されたものであって、高速且つ高画質な画像読取が可能な画像読取装置及び画像読取方法、並びに画像読取装置を適用した画像形成装置を提供することにある。
【００１０】
【課題を解決するための手段】
上記課題を解決し目的を達成するために、例えばこの発明の画像読取装置は、以下のように構成されている。
【００１１】
この発明の画像読取装置は、光を透過可能で、読取対象物を保持する板状の読取対象物保持体と、前記読取対象物保持体上の前記読取対象物に対して光を照射する照射部と、前記読取対象物からの画像光を受光して、前記画像光のうちの有彩色成分に対応する信号、及び前記画像光のうちの無彩色成分に対応する信号を出力するＣＣＤセンサと、前記ＣＣＤセンサを前記読取対象物保持対の一端から他端に向けて、前記読取対象物保持体に対して平行に移動させる駆動部と、前記駆動部による前記ＣＣＤセンサの移動に対応して、前記ＣＣＤセンサから出力される有彩色成分に対応する信号に基づく有彩色画像データを記憶する第１記憶領域、及び前記ＣＣＤセンサから出力される無彩色成分に対応する信号に基づく無彩色画像データを記憶する第２記憶領域を含む記憶部とを備えている。
【００１２】
【発明の実施の形態】
以下、図面を参照して、この発明の実施の形態について詳細に説明する。
【００１３】
図１は、画像読取装置が組み込まれたカラーデジタル複写装置（画像読取形成装置）の一例を示す概略図である。
【００１４】
カラーデジタル複写装置１は、複写対象物Ｏが保持する画像情報を光の明暗として読み取って画像信号を生成するカラー画像読取装置（以下、スキャナ部と呼称する）１０１と、スキャナ部１０１または外部から供給される画像信号に対応する画像を形成する画像形成装置（以下、カラープリンタ部と呼称する）１０２からなる。なお、スキャナ部１０１には、複写対象物Ｏがシート状である場合に、複写対象物Ｏから画像情報を読み取る読み取り動作に合わせて、複写対象物Ｏを順に入れ換える自動原稿送り装置（ＡＤＦ）２０１が一体的に設けられている。
【００１５】
また、スキャナ部１０１は、ガラス等に代表され、光を透過する材質により形成され、厚さが概ね均一な透明な板状の原稿テーブル１１を有している。原稿テーブル１１の下方でスキャナ部１０１内部の所定位置には、後述する画像光として伝達される原稿Ｏの画像情報を電気信号（画像信号）に変換するＣＣＤセンサ１２が設けられている。
【００１６】
ＣＣＤセンサ１２は、図２を用いて以下に説明するように、カラー画像（原稿Ｏからの反射）を加法混色の３原色であるＲ（赤），Ｇ（緑）およびＢ（青）として検出するための３本のラインセンサ１２Ｒ，１２Ｇおよび１２Ｂが一体的に形成されたカラー向けラインＣＣＤセンサ（以下、カラーセンサと示す）１２Ｃとモノクロ（無彩色）向けのラインセンサ（以下、モノクロセンサと示す）１２Ｍとが並列に設けられた複合型ＣＣＤセンサ（４ラインＣＣＤセンサ）である。
【００１７】
上述のＣＣＤセンサ１２は、周知のカラー向けの３ラインＣＣＤに比較して、モノクロ画像を読み取った場合に高い鮮鋭度を確保できるとともに、同一の画像を複数回読み取った場合の安定性（再現性）が高いことが知られている。なお、モノクロセンサ１２Ｍとカラーセンサ１２Ｃとを独立に設けたことにより、個々のセンサ（単ラインセンサ）の読取性能は、同等である。
【００１８】
原稿テーブル１１の下方の空間には、原稿テーブル１１にセットされた原稿Ｏを照明する照明装置１３、照明装置１３を原稿テーブル１１に沿って移動させる第１のキャリッジ１４、および第１のキャリッジ１４により取り出される、以下に説明する、画像光をＣＣＤセンサ１２に案内する第２のキャリッジ１５が設けられている。
【００１９】
次に、スキャナ部１０１により読み込んだ画像情報に基づいて、原稿の画像を複写する動作の一例を説明する。
【００２０】
ＡＤＦ２０１にセットされている原稿の画像情報の複写すなわち画像の読み取りに引き続き、画像形成および出力（コピー）が指示されている場合には、原稿の画像情報が読み取られた後（あるいは読み取り動作中）の所定のタイミングで、図１に示したデジタル複写装置１のカラープリンタ部１０２の感光体ドラム１０３に、帯電装置１０４により、所定の電位が与えられる。
【００２１】
図３に示すように、ＣＣＤセンサ１２の出力は、画像補正部２０５に入力される。画像補正部２０５は、ＣＣＤセンサ１２のＲ用ラインセンサ１２Ｒ、Ｇ用ラインセンサ１２、Ｂ用ラインセンサ１２Ｂ、黒用ラインセンサ１２Ｍのそれぞれから出力された画像信号（ラインセンサの出力）を所定レベルまで増幅する複数の増幅器、各増幅器で増幅された画像信号を所定のスレショルドレベルでスレショルドしてデジタル信号に変換する複数のＡ−Ｄ変換・スレショルド回路、およびスレショルドされたそれぞれの画像信号を予め決められた規則に従って画像処理する画像処理回路を有する。
【００２２】
なお、原稿（複写対象物）Ｏがシート状であって、ＡＤＦ２０１により、順にスキャナ部１０１に搬送される場合であって、例えばカラー画像を含む原稿とモノクロ画像のみからなる原稿とが混在している場合には、例えばカラーバランスや各色成分の濃度等が画像処理回路で補正されたＣＣＤセンサ１２の出力は、ＡＣＳ（自動カラー判定回路）２５３によりカラー画像を含む原稿であるかモノクロ画像のみであるかが識別され、その情報と原稿Ｏの順番すなわちＡＤＦ２０１に積層されているページ順と関連づけられて、カラー情報記憶装置２５２に記憶される。
【００２３】
以下、スキャナ部１０１により読み取られた原稿Ｏの画像に対応する画像データがページメモリ２３８に供給され、１ページ分の画像データが整えられる。なお、画像データをページメモリ２３８に蓄積する処理については、後に詳しく説明する。ページメモリ上に１ページ分の画像データが整えられると、露光装置１０５から既に所定の電位が与えられている感光体ドラム１０３の所定位置に、ページメモリ２３８により保持されている画像データに基づいて、静電潜像が形成され、用紙に画像が印刷される。
【００２４】
図３は、図１に示すカラーデジタル複写装置の電気的接続及び制御のための信号のながれを概略的に示すブロック図である。図１で示したようにカラーデジタル複写装置は、主として主制御部１００内のメインＣＰＵ２９１と、操作パネル２４１内のパネルＣＰＵ２４２と、カラープリンタ部１０２内のプリンタＣＰＵ２１０と、スキャナ部１０１内のスキャナＣＰＵ２００の４つのＣＰＵを含む。
【００２５】
操作パネル２４１全体を制御するパネルＣＰＵ２４２には複写開始を指示するプリントキー２４４とデジタル複写機における画像出力のための条件、例えば、複写あるいは印字枚数及び倍率、あるいは部分複写の指定やその領域の座標を入力するための、例えば複数の押しボタンスイッチあるいはタッチセンサパネルがもうけられている入力部２４３と、複写枚数の設定に利用されるテンキー等が接続されている。
【００２６】
主制御部１００の全体を制御するメインＣＰＵ２９１には、ＲＯＭ２３２、ＲＡＭ２３３と、ＮＶＭ２３４、共有ＲＡＭ２３５、画像処理装置２３６、ページメモリ制御部２３７、ＨＤＤ２４０、プリンタフォントＲＯＭ２２１等が接続されている。
【００２７】
ＲＯＭ３２は制御プログラムが記憶されているものであり、ＲＡＭ２３３は一時的にデータを記憶するものである。ＮＶＭ２３４はバッテリにバックアップされた不揮発性のメモリであり、電源がＯＦＦされてもＮＶＭ２３４上のデータは消失されないようになっている。共有ＲＡＭ２３５は、メインＣ２９１とプリンタＣＰＵ２１０との間で、双方向通信を行なうために用いられるものである。ページメモリ制御部２３７は、ページメモリ２３８に対して画像情報を記憶したり、読み出したりするものである。ページメモリ２３８は、複数ページ分の画像情報を記憶できる領域を有し、スキャナ部１０１からの画像情報を圧縮したデータを１ページ分ごとに記憶可能に形成されている。プリンタフォントＲＯＭ２２１には、プリントデータに対応するフォントデータが記憶されている。
【００２８】
カラープリンタ部１０２を制御するプリンタＣＰＵ２１０には、制御プログラムが記憶されているＲＯＭ２１１と、データ記憶用のＲＡＭ２１２と、半導体レーザによる発光をオン／オフするレーザドライバ２１３と、ポリゴンモータの回転を制御するポリゴンモータドライバ２１４と、紙の搬送処理を司る紙搬送部２１５と、現像処理を司る現像プロセス部２１６と、定着処理を司る定着制御部２１７と、オプション部２１８などが接続されている。
【００２９】
スキャナ部１０１を制御するスキャナＣＰＵ２００には、制御プログラムが記憶されているＲＯＭ２０１と、データ記憶用の２０２と、ＣＣＤセンサ１２を駆動するＣＣＤドライバ２０３と、イメージスキャナ（キャリッジ）を移動するモータの回転を制御するスキャナモータドライバ２０４と、読み取り原稿等を照射するための照明装置１３と、シェーディング補正などを含む各種画像補正を行なう画像補正部２０５などが接続されている。
【００３０】
スキャナＣＰＵ２００よりスキャナモータドライバ２０４へ各種信号の設定を行なうことによりスキャナモータを制御している。入力部２４３によってユーザから設定された入力倍率によりイメージスキャン画像の拡大・縮小を行なうが、主走査方向（ＣＣＤラインセンサ方向）に対する入力倍率の反映はメインＣＰＵ２９１が画像処理装置２３６に倍率を設定することで実現し、副走査方向（イメージスキャナ移動方向）に対する入力倍率の反映は、走査させるイメージスキャナ（キャリッジ）の移動速度を可変させることで拡大・縮小を実現している。つまり、スキャナＣＰＵ２００よりスキャナモータドライバ２０４へ指示するスキャナモータの駆動用パルス（クロック）及び設定する励磁方式によりイメージスキャナモータの回転速度を可変させるということである。
【００３１】
ここで、イメージスキャン動作について説明する。
【００３２】
イメージスキャン動作とは、原稿を読み込む処理を伴ったイメージスキャナ（キャリッジ）の動作である。イメージスキャナ（キャリッジ）の動作としては、まず、通常のスキャン（鏡像のスキャンでない）の場合にイメージスキャン開始位置から正転方向に（原稿サイズ）＋（加減速距離）分移動し、移動後、励磁を切らずにイメージスキャナ（キャリッジ）を一定時間停止させ、この正転方向の移動の際に原稿を読み取る。そして、今度はイメージスキャン開始位置まで戻るために逆転方向にイメージスキャナ（キャリッジ）を移動させ、イメージスキャン開始位置にて停止後、一定時間励磁を切らずに励磁をかけた後に励磁を切る。ここまでが１回のイメージスキャン動作のシーケンスである。
【００３３】
従来方式ではこのイメージスキャン動作を、カラーモードの場合とモノクロモードの場合の２回行なう。まず１回目のイメージスキャン動作では、ＣＣＤセンサがカラーモードの場合にＲＧＢのセンサで読み込んだ画像データをページメモリに渡し一時的に保存しておく。次にＣＣＤセンサをモノクロモードに切り替えて２回目のイメージスキャン動作を行い、Ｋのセンサで読み込んだ画像データを奇数画素と偶数画素に分けて、Ｇ、Ｂのセンサからページメモリに伸びているラインを使用してページメモリに渡す。ページメモリに渡された画像データはその後、合成されて出力される。なお、イメージスキャンは、原稿のタイプ（テキスト原稿か、写真画像有りか等）を見て、モードを切り替えるためにプリスキャンをして、その後、イメージスキャンをする場合もある。
【００３４】
図４に示すように、この発明のカラーデジタル複写装置（画像読取装置又は画像形成装置）のページメモリ２３８はダブルバッファ化されている。つまり、ページメモリ２３８は、カラー用記憶領域２３８ａと、モノクロ用記憶領域２３８ｂを備えている。ラインセンサ１２Ｒ、１２Ｇ、および１２Ｂが一体形成されたカラーセンサ１２Ｃから出力される有彩色成分に対応する信号はカラー用記憶領域２３８ａに格納され、モノクロセンサ１２Ｍから出力される無彩色成分に対応する信号はモノクロ用記憶領域２３８ｂに格納される。よって、１度のイメージスキャン動作でカラー／モノクロ両方の画像データを取得できるため、読取動作を高速化できる。カラー用記憶領域２３８ａに格納された有彩色画像データ、及びモノクロ用記憶領域２３８ｂに格納された無彩色画像データを合成して出力することにより、カラー／モノクロ共に高画質な画像を再現することが可能となる。
【００３５】
図５は、原稿を１回のスキャン動作で読み取りコピーする時のフローチャートを示す
プリスキャンは必要なく、イメージスキャンを行う（ＳＴ２０１）。このイメージスキャンの結果、図３に示すＡＣＳ（自動カラー判定回路）２５３によりスキャン対象がカラー／モノクロ混在原稿であると判明すると（ＳＴ２０２、ＹＥＳ）、カラーセンサ１２Ｃ（ラインセンサ１２Ｒ、１２Ｇ、１２Ｂ）からの出力がページメモリ２３８のカラー用記憶領域２３８ａに保存され、モノクロセンサ１２Ｍからの出力がページメモリ２３８のモノクロ用記憶領域２３８ｂに保存される（ＳＴ２０３）。１度のイメージスキャンにより取り込まれ、ページメモリ２３８のカラー用記憶領域２３８ａ及びモノクロ用記憶領域２３８ｂに保存されているカラー画像データとモノクロ画像データが合成され出力される（ＳＴ２０４）。
【００３６】
或いは、イメージスキャンの結果、図３に示すＡＣＳにより、スキャン対象がカラー原稿であると判明すると（ＳＴ２０５、ＹＥＳ）、カラーセンサ１２Ｃ（ラインセンサ１２Ｒ、１２Ｇ、１２Ｂ）からの出力がページメモリ２３８のカラー用記憶領域２３８ａに保存される（ＳＴ２０６）。１度のイメージスキャンにより取り込まれ、ページメモリ２３８のカラー用記憶領域２３８ａに保存されているカラー画像データが出力される（ＳＴ２０７）。
【００３７】
或いは、イメージスキャンの結果、図３に示すＡＣＳにより、スキャン対象がモノクロ原稿であると判明すると（ＳＴ２０８）、モノクロセンサ１２Ｍからの出力がページメモリ２３８のモノクロ用記憶領域２３８ｂに保存される（ＳＴ２０９）。１度のイメージスキャンにより取り込まれ、ページメモリ２３８のモノクロ用記憶領域２３８ｂに保存されているモノクロ画像データが出力される（ＳＴ２１０）。
【００３８】
上記したように、ページメモリ２３８をダブルバッファ化して、カラーセンサ１２Ｃからの出力とモノクロセンサ１２Ｍからの出力とを独立させている。つまり、カラーセンサ１２Ｃから出力されるカラー画像データをカラー用記憶領域２３８ａに格納し、モノクロセンサ１２Ｍから出力されるモノクロ画像データをモノクロ用記憶領域２３８ｂに格納するようにしているので、ＣＣＤセンサ１２からページメモリヘのラインを切り替える必要が無い。よって、プリスキャンも必要無く、１回のスキャンで読み取り動作が完了する。プリスキャンも不要となる。
【００３９】
さらに、カラー画像はカラーセンサ１２Ｃ、モノクロ画像はモノクロセンサ１２Ｍで読み取られ、読み取られた画像データはそれぞれ独立してカラー用記憶領域２３８ａとモノクロ用記憶領域２３８ｂに保存されるので画質もよくなる。
【００４０】
以上説明したように、４ラインＣＣＤセンサを採用したスキャナにおいて、１回のスキャン動作で、カラー／モノクロの画像データを同時に取得でき、高速かつ高画質な読み取りが実現可能となる。
【００４１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００４２】
【発明の効果】
この発明によれば、高速且つ高画質な画像読取が可能な画像読取装置及び画像読取方法、並びに画像読取装置を適用した画像形成装置を提供できる。
【図面の簡単な説明】
【図１】カラーデジタル複写装置の一例を示す断面図である。
【図２】図２に示すスキャナに含まれるＣＣＤセンサの一例を示す外観図である。
【図３】図１に示すカラーデジタル複写装置の一例を示す機能ブロック図である。
【図４】カラーセンサ（Ｒ、Ｇ、Ｂ）からの出力とモノクロセンサ（Ｋ）からの出力とを並行して異なる記憶領域に保存するスキャナ部の概略構成を示す図である。
【図５】カラー／モノクロ混在原稿を読み取る場合に、カラーセンサ（Ｒ、Ｇ、Ｂ）からの出力とモノクロセンサ（Ｋ）からの出力とを並行して異なる記憶領域に保存する画像読取プロセスの一例を示すフローチャートである。
【符号の説明】
１…カラーデジタル複写装置（画像読取形成装置）、１１…原稿テーブル（読取対象物保持体）、１２…ＣＣＤセンサ、１２Ｒ、１２Ｇ、１２Ｂ…ラインセンサ（＝１２Ｃ…カラーセンサ）、１２Ｍ…モノクロセンサ、１３…照明装置、１０１…カラー画像読取装置（スキャナ部）、１０２…画像形成装置（カラープリンタ部）、１５１…黒現像装置（合成出力部）、１５３…現像装置（合成出力部）、２０４…スキャナモータドライバ（駆動部）、２３８…ページメモリ、２３８ａ…カラー用記憶領域、２３８ｂ…モノクロ用記憶領域
【図１】
2005051304.tif 000003
【図２】
2005051304.tif 000004
【図３】
2005051304.tif 000005
【図４】
2005051304.tif 000006
【図５】
2005051304.tif 000007